(57)【要約】【課題】電子ファイルの場合は、フォーマット上に特定パターンの領域を作製して、この領域に通常印刷、消去、強調等の情報を認識する指示を含ませて、モード切り換えのみで対応可能となるデジタル複写機を提供することにある。【解決手段】原稿を画像データとして記憶し、該記憶した画像データを印刷する構成であるデジタル複写機において、文字、記号、ライン、網掛け、テクスチャ、グラデーションからなる特定パターンを記憶するための特定パターン記憶手段１７と、入力された画像データから前記特定パターンで囲まれた領域を抽出する画像領域抽出手段１８と、該画像領域抽出手段１８で抽出した画像データを編集する画像データ編集手段１９を有し、モードの切り換えにより前記特定パターンで囲まれた画像データの印刷モードを切り換える印刷モード切り換え手段２０を有するデジタル複写機。【選択図】図２
2009141487.tif 000002
【特許請求の範囲】
【請求項１】
原稿を画像データとして記憶し、該記憶した画像データを印刷する構成であるデジタル複写機において、文字、記号、ライン、網掛け、テクスチャ、グラデーションからなる特定パターンを記憶するための特定パターン記憶手段と、入力された画像データから前記特定パターンで囲まれた領域を抽出する画像領域抽出手段と、該画像領域抽出手段で抽出した画像データを編集する画像データ編集手段と、を有し、モードの切り換えにより前記特定パターンで囲まれた画像データの印刷モードを切り換える印刷モード切り換え手段を有することを特徴とするデジタル複写機。
【請求項２】
前記特定パターンの存在を認識した後、該特定パターンで囲まれた画像データを他の印刷部分とともに印刷する通常印刷機能を有することを特徴とする請求項１記載のデジタル複写機。
【請求項３】
前記特定パターンの存在を認識した後、該特定パターンで囲まれた画像データを消去して印刷する印刷機能を有することを特徴とする請求項１記載のデジタル複写機。
【請求項４】
前記特定パターンで囲まれた画像データを消去して印刷する代りに色調補正又は網掛け補正の装飾を行なうデータ装飾機能を有することを特徴とする請求項１又は３記載のデジタル複写機。
【請求項５】
前記特定パターンで囲まれた特定領域データを編集した画像データを外部記録媒体に記録する外部記録媒体ドライブを有することを特徴とする請求項１乃至４のいずれか１項記載のデジタル複写機。
【請求項６】
前記記憶手段に記録されている特定パターンファイルを外部装置から編集する編集手段を有することを特徴とする請求項１記載のデジタル複写機。
【請求項７】
前記記憶手段に記録されている特定パターンファイルの選択表示画面として本体に設けた操作表示装置を使用することを特徴とする請求項１記載のデジタル複写機。
【請求項８】
前記記憶手段に記録されている特定パターンファイルに前記入力画像データから前記特定パターンを追加する特定パターン追加手段を有することを特徴とする請求項１記載のデジタル複写機。
【発明の詳細な説明】
【技術分野】
【０００１】
本発明は、１枚の原稿中で特定の領域の印字を制限した印刷物を容易に作製することを可能にするデジタル複写機に関するものである。
【背景技術】
【０００２】
従来から、１枚の原稿を用途により印刷モードを変えて印刷することが望まれている。かかる印刷要望は、通常のごとく原稿全体を印刷すること、その原稿に秘密事項等が含まれる場合に、かかる秘密事項等の或る特定の部分の情報を除いて印刷すること、また、この原稿の内容がプレゼンテーションに使用される場合にその内容の部分を強調して印刷すること等がある。
本発明により、電子ファイルの場合はフォーマット上に特定パターンの領域を作製してそこに上記の用途に使用したい情報を入力しておけばモード切り替えのみで対応可能となる。
印刷物で特定パターン領域が無い物についても、色・太さ等で特定できるペンで領域を指定すれば対応可能となり。煩雑な作業から解放され、作業効率の向上が図れる。
【発明の開示】
【発明が解決しようとする課題】
【０００３】
しかしながら、今までは、電子ファイルであれば、その部分を消去、強調したものをその都度に作製したりしていた。印刷物であれば、消去したいところを何かで隠してコピーするという煩雑な作業を伴っていた。
そこで、本発明の目的は、上述した実情を考慮して、電子ファイルの場合は、フォーマット上に特定パターンの領域を作製して、この領域に通常印刷、消去、強調等の情報を認識する指示を含ませておけばモード切り換えのみで対応可能となるデジタル複写機を提供することにある。
【課題を解決するための手段】
【０００４】
上記の課題を解決するために、請求項１に記載の発明は、原稿を画像データとして記憶し、該記憶した画像データを印刷する構成であるデジタル複写機において、文字、記号、ライン、網掛け、テクスチャ、グラデーションからなる特定パターンを記憶するための特定パターン記憶手段と、入力された画像データから前記特定パターンで囲まれた領域を抽出する画像領域抽出手段と、該画像領域抽出手段で抽出した画像データを編集する画像データ編集手段を有し、モードの切り換えにより前記特定パターンで囲まれた画像データの印刷モードを切り換える印刷モード切り換え手段を有するデジタル複写機を特徴とする。
また、請求項２に記載の発明は、前記特定パターンの存在を認識した後、該特定パターンで囲まれた画像データを他の印刷部分とともに印刷する通常印刷機能を有する請求項１記載のデジタル複写機を特徴とする。
【０００５】
また、請求項３に記載の発明は、前記特定パターンの存在を認識した後、該特定パターンで囲まれた画像データを消去して印刷する印刷機能を有する請求項１記載のデジタル複写機を特徴とする。
また、請求項４に記載の発明は、前記特定パターンで囲まれた画像データを消去して印刷する代りに色調補正又は網掛け補正の装飾を行なうデータ装飾機能を有する請求項１又は３記載のデジタル複写機を特徴とする。
また、請求項５に記載の発明は、前記特定パターンで囲まれた特定領域データを編集した画像データを外部記録媒体に記録する外部記録媒体ドライブを有する請求項１乃至４のいずれか１項記載のデジタル複写機を特徴とする。
また、請求項６に記載の発明は、前記記憶手段に記録されている特定パターンファイルを外部装置から編集する編集手段を有する請求項１記載のデジタル複写機を特徴とする。
また、請求項７に記載の発明は、前記記憶手段に記録されている特定パターンファイルの選択表示画面として本体に設けた操作表示装置を使用する請求項１記載のデジタル複写機を特徴とする。
また、請求項８に記載の発明は、前記記憶手段に記録されている特定パターンファイルに前記入力画像データから前記特定パターンを追加する特定パターン追加手段を有する請求項１記載のデジタル複写機を特徴とする。
【発明の効果】
【０００６】
本発明によれば、モード切り換えのみで対応可能となるので、印刷物で特定パターン領域が無い物についても、色・太さ等で特定できるペンで領域を指定すれば対応可能となり、煩雑な作業から解放され、作業効率の向上が図れる。
【発明を実施するための最良の形態】
【０００７】
以下、図面を参照して、本発明の実施の形態を詳細に説明する。図１は本発明による特定領域抽出データ編集ユニットを搭載するデジタル複写機の全体構成を示す概略図である。
図１において、デジタル複写機Ａは、原稿を載置する原稿載置台１と、この原稿載置台１上の原稿画像を読み取る走査光学系２と、画像データを書き込むレーザ書き込み部３と、このレーザ書き込み部３のレーザ光を受けて静電潜像を形成する感光体４と、この感光体４を一様に帯電する帯電チャージャ５と、Ｙ（イエロー）、Ｍ（マゼンタ）、Ｃ（シアン）、ＢＫ（ブラック）の４色を有し、感光体４の静電潜像を現像する現像装置６とを含んでいる。
また、デジタル複写機Ａは、記録媒体を巻き付ける転写ドラム７と、現像されたトナー像を記録媒体に転写するための転写チャージャ８と、感光体４上の未転写のトナーを除去するクリーニング装置９と、記録媒体上のトナー像の定着を行なう定着装置１０と、定着された記録媒体を排紙するための排紙トレイ１１と、記録媒体を給紙する給紙装置１２とを含んでいる。
【０００８】
図２は図１のデジタル複写機Ａに搭載する特殊領域抽出データ編集ユニットを示す概念図である。図２に示すように、特殊領域抽出データ編集ユニット１５は、画像比較回路１６、特定パターン記憶メモリ１７、領域判定回路１８、画像データ編集回路１９、印刷モード切り換え手段２０、表示選択画面（操作表示装置）２１から構成される。
特殊領域抽出データ編集ユニット１５に入力された画像データを画像比較回路１６で特定パターン記憶メモリ１７に記憶されている特定パターンと入力された画像データを比較し、特定パターンの存在の有無及び存在箇所を認識する。
領域判定回路１８において画像データ編集回路１９で編集する特定領域のデータ領域を認識する。画像データ編集回路１９では印刷モード切り換え手段２０の指示に従い、通常印刷の時は特定領域のデータは未編集のまま出力する。
【０００９】
印刷モード切り換え手段２０の指示が消去の時は、特定領域のデータをヌル状態にしたデータを出力する。また、印刷モード切り換え手段２０の指示が特殊の場合は、特定領域のデータに色調補正、網掛け補正等の編集を加えたデータを出力する。
なお、特定パターンアファイルは外部のパソコン（外部装置）から編集する機能を有することが可能であり、デジタル複写機からの入力画像データからも追加することができる。このため、その内容を表示し、使用の選択ができる表示選択画面２１を表示する表示装置を複写機本体に取り付けた。
このように、特定パターンファイルの選択表示画面をデジタル複写機本体に有することにより、内容の確認が容易となり、パターンファイルの選択変更が容易となる。
【００１０】
本発明によれば、特定パターン記憶メモリ１７に記録されている特定パターンファイルにデジタル複写機からの入力画像データから特定パターンを追加する特定パターン追加手段を有する。
かかる構成によれば、特定パターン記憶メモリ１７に記録されている特定パターンファイルにデジタル複写機からの入力画像データから特定パターンを追加することを可能にするので、より多様な特定パターンを使用することが可能となる。
また、本発明によるデジタル複写機Ａは、編集した領域内編集画像データを外部記録媒体ドライブ２２に記録することで、必要に応じて、すなわち、紙媒体のプレゼンテーション資料を編集した後のデータを電子ファイルとして保存、再編集することができる。
【００１１】
図３は特定領域抽出データ編集ユニットにおけるデータの流れを説明するフローチャートである。図２及び図３を参照して、特定領域抽出データ編集ユニット１５の画像比較回路１６に画像データが入力される（Ｓ１）。
画像比較回路１６に特定パターン記憶メモリ１７に記憶されている特定パターンが入力される（Ｓ２）。この特定パターン記憶メモリ１７に記憶されている特定パターンが画像データと比較され、特定パターンが存在するかどうか及び存在箇所を認識する（Ｓ３）。
特定パターンが存在するならば、領域判定回路１８において画像データ編集回路１９で編集する特定領域のデータ領域を認識する（Ｓ４）。画像データ編集回路１９では印刷モード切り換え手段２０の指示に従い、出力データを選択して出力する（Ｓ５）。
印刷モード切り換え機構２０の指示には、以下の３つがある。すなわち、通常印刷（Ｓ６）の時は特定領域のデータは未編集のまま出力する。印刷モード切り換え手段２０の指示が消去（Ｓ７）の時は、特定領域のデータをヌル状態にしたデータを出力する。
また、印刷モード切り換え手段２０の指示が特殊（Ｓ８）の場合は、特定領域のデータに色調補正、網掛け補正等の編集を加えたデータを出力する。従って、印刷はそれぞれのモード別に行なわれる（Ｓ９）。
【００１２】
図４は本発明に用いる特定パターンの例を示す図である。図５は認識させる特定領域パターンの領域指定例を示す図である。図６はモード別の印刷結果を示す図である。
特定領域抽出データ編集ユニット１５（図２）をデジタル複写機Ａ（図１）に搭載することによって特定パターン記憶メモリ１７（図１）に、図４に示すような、それぞれ、文字、記号、ライン、網掛け、テクスチャ、グラデーション等からなる特定パターンを記憶させる。
これによって、図５に示す特定領域パターンの（ａ）〜（ｆ）を認識させることが可能となる。図５の（ａ）は他の印刷部分２３ａ、ラインで囲んでいる特定領域パターン２３ｂを示している。図５の（ｂ）は他の印刷部分２３ａ、文字で囲んでいる特定領域パターン２３ｂを示している。図５の（ｃ）は他の印刷部分２３ａ、記号以下の部分としている特定領域パターン２３ｂを示している。
【００１３】
また、図５の（ｄ）は他の印刷部分２３ａ、手書きラインで囲んでいる特定領域パターン２３ｂを示している。図５の（ｅ）は他の印刷部分２３ａ、グラデーションによる枠で囲んでいる特定領域パターン２３ｂを示している。図５の（ｆ）は他の印刷部分２３ａ、始めと終りに記号を付してその中の特定領域パターン２３ｂを指示している。
印刷モード切り換え手段２０（図２）の指示に従えば、図６に示すような印刷物をモード切り換えのみで得ることができる。図６の（ａ）の通常印刷の場合には、他の印刷部分２４ａ、始めと終りに記号を付してその中の特定領域パターン２４ｂが印刷される。
印刷モード切り換え手段２０の指示に従えば、図６の（ｂ）の特定領域消去印刷の場合には、他の印刷部分２４ａ、始めと終りに付した記号のみ２４ｂが印刷され、その中の特定領域パターンは消去される。
また、印刷モード切り換え手段２０の指示に従えば、図６の（ｃ）の特定領域装飾印刷の場合には、他の印刷部分２４ａ、始めと終りに付した記号の中の特定領域パターン２４ｂが装飾されて印刷される。
【００１４】
本発明によれば、図１のデジタル複写機Ａは、図２に示した構成の特定領域抽出データ編集ユニット１５、すなわち、特定パターンを記憶するための記憶手段（特定パターン記憶メモリ）１７と、入力された画像データから特定パターンで囲まれた領域を抽出する画像抽出手段（領域判定回路）１８と、この画像抽出手段１８で抽出した画像データ部分を編集する編集手段（画像データ編集回路）１９を含んでいる。
さらに、印刷モード切り換え手段２０を含み、この印刷モード切り換え機構２０によってモードの切り換えを行ない、印刷手段は特定パターンで囲まれたデータを通常に印刷あるいは消去して印刷する。
上述した構成によれば、或る記憶した特定パターンが入力された画像データに囲まれた領域を認識し、そのデータを編集可能なシステムのデジタル複写機であることにより、同一原稿で全体の印刷と特定の範囲内のデータを消した印刷を容易に実施することが可能となる。
【００１５】
本発明によるデジタル複写機Ａは、特定パターンを認識した前後にあるいは特定パターン認識の間のデータを通常印刷あるいは消去して印刷する機能を有することができる。
かかる機能によれば、特定パターンの前後あるいは間、すなわち、特定パターンで指示された領域を対象とすることにより領域を囲うという制限がなくデータを消したい領域を指定することが可能となる。
本発明によるデジタル複写機Ａは、消したい領域を消去して印刷する代りに色調補正、網掛け補正等の装飾を行う機能を有することができる。従って、領域のデータを消す以外に色調補正、網掛け補正等の装飾を行うことが可能なことによりプレゼンテーション資料等への適応範囲を増やすことが可能となる。
【図面の簡単な説明】
【００１６】
【図１】本発明による特定領域抽出データ編集ユニットを搭載するデジタル複写機の全体構成を示す概略図である。
【図２】図１のデジタル複写機Ａに搭載する特定領域抽出データ編集ユニットを示す概念図である。
【図３】特定領域抽出データ編集ユニットにおけるデータの流れを説明するフローチャートである。
【図４】本発明に用いる特定パターンの例を示す図である。
【図５】認識させる特定領域パターンの領域指定例を示す図である。
【図６】モード別の印刷結果を示す図である。
【符号の説明】
【００１７】
Ａ  デジタル複写機、１５  特定領域抽出データ編集ユニット、１６  画像比較回路、１７  記憶手段（特定パターン記憶メモリ）、１８  画像抽出手段（領域判定回路）、１９  編集手段（画像データ編集回路）、２０  印刷モード切り換え手段、２１  選択表示画面（操作表示装置）、２３ａ  他の印刷部分、２３ｂ  特定パターン部分、２４ａ  他の印刷部分、２４ｂ  特定パターン部分
【図１】
2009141487.tif 000003
【図２】
2009141487.tif 000004
【図３】
2009141487.tif 000005
【図４】
2009141487.tif 000006
【図５】
2009141487.tif 000007
【図６】
2009141487.tif 000008